【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
データを他のデータ通信装置に無線で送信、及び／または他のデータ通信装置から無線で受信するデータ通信装置において、
当該データ通信装置が属するグループを示すグループ識別コードを記憶する記憶手段と、
上記記憶手段に記憶される上記グループ識別コードを、上記他のデータ通信装置に配布する配布手段とを有し、
上記他のデータ通信装置が、上記配布された上記グループ識別コードを記憶することにより、当該データ通信装置と上記他のデータ通信装置とでデータ通信が可能となるようにしたことを特徴とするデータ通信装置。
【請求項２】
上記記憶手段に上記グループ識別コードが記憶されていない場合には、グループ識別コードを生成し、生成されたグループ識別コードを上記記憶手段に記憶するようにした請求項１記載のデータ通信装置。
【請求項３】
上記グループ識別コードは、当該データ通信装置の製造シリアル番号に基づいて生成するようにした請求項２記載のデータ通信装置。
【請求項４】
他のデータ通信装置から配布されてきた上記グループ識別コードを受信する受信手段とをさらに有し、
上記受信したグループ識別コードを上記記憶手段に記憶することにより、当該データ通信装置と上記他のデータ通信装置とでデータ通信が可能となるようにしたことを特徴とする請求項１記載のデータ通信装置。
【請求項５】
上記配布手段は、上記配布した上記グループ識別コードを、上記他のデータ通信装置の記憶手段に記憶させるように制御することを特徴とする請求項１記載のデータ通信装置。
【請求項６】
上記配布手段は、上記他のデータ通信装置とケーブルで接続してグループ識別コードを配布するインターフェース回路を備えることを特徴とする請求項１記載のデータ通信装置。
【請求項７】
上記配布手段は、上記他のデータ通信装置と無線でグループ識別コードを配布するようにした請求項１記載のデータ通信装置。
【請求項８】
上記グループ識別コードの配布は通常の通信より低レベルの無線出力で行なうようにした請求項７記載のデータ通信装置。
【請求項９】
上記配布手段は、上記他のデータ通信装置と光通信でグループ識別コードを配布するようにした請求項１記載のデータ通信装置。
【請求項１０】
データを他のデータ通信装置に無線で送信、及び／または他のデータ通信装置から無線で受信するデータ通信装置において、
当該データ通信装置が属するグループを示すグループ識別コードを記憶する記憶手段と、
上記他のデータ通信装置から配布されてきた上記グループ識別コードを受信する受信手段とを有し、
上記受信したグループ識別コードを上記記憶手段に記憶することにより、当該データ通信装置と上記他のデータ通信装置とでデータ通信が可能となるようにしたことを特徴とするデータ通信装置。
【請求項１１】
上記受信手段は、上記他のデータ通信装置とケーブルで接続してグループ識別コードを受信するインターフェース回路を備えることを特徴とする請求項１０記載のデータ通信装置。
【請求項１２】
上記受信手段は、上記他のデータ通信装置と無線でグループ識別コードを受信するようにした請求項１０記載のデータ通信装置。
【請求項１３】
上記受信手段は、上記他のデータ通信装置と光通信でグループ識別コードを受信するようにした請求項１０記載のデータ通信装置。
【請求項１４】
スペクトラム拡散によりデータ通信を行なうようにし、上記グループ識別コードは上記スペクトラム拡散する際の拡散符号と対応させるようにした請求項１または１０記載のデータ通信装置。
【請求項１５】
データを無線で送信、及び／または無線で受信するデータ通信方法において、
自機が属するグループを示すグループ識別コードを他機に転送し、
転送されてきた上記グループ識別コードを他機が設定し、
データ通信時、自機のグループ識別コードと同一のグループ識別コードを設定した他機との間でのみデータ通信を行なう
ことを特徴とするデータ通信方法。
【請求項１６】
上記グループ識別コードが自機に設定されていない場合には、グループ識別コードを生成し、生成したグループ識別コードを他機に転送するようにした請求項１５記載のデータ通信方法。
【請求項１７】
上記グループ識別コードは、自機の製造シリアル番号に基づいて生成するようにした請求項１６記載のデータ通信方法。
【請求項１８】
上記グループ識別コードを転送された他機は、グループ識別コードが既に設定されている場合には、上記設定動作をしないことを特徴とする請求項１５記載のデータ通信方法。
【請求項１９】
スペクトラム拡散によりデータ通信を行なうようにし、上記グループ識別コードは上記スペクトラム拡散する際の拡散符号と対応させるようにした請求項１５記載のデータ通信方法。
【請求項２０】
上記他機とケーブルで接続してグループ識別コードを転送することを特徴とする請求項１５記載のデータ通信方法。
【請求項２１】
上記他機と無線でグループ識別コードを転送するようにした請求項１５記載のデータ通信方法。
【請求項２２】
上記グループ識別コードの転送は通常の通信より低レベルの無線出力で行なうようにした請求項２１記載のデータ通信方法。
【請求項２３】
上記他機と光通信でグループ識別コードを転送するようにした請求項１５記載のデータ通信方法。
【手続補正２】
【補正対象書類名】明細書
【補正対象項目名】００１３
【補正方法】変更
【補正の内容】
【００１３】
【課題を解決するための手段】
この発明は、データを他のデータ通信装置に無線で送信、及び／または他のデータ通信装置から無線で受信するデータ通信装置において、当該データ通信装置が属するグループを示すグループ識別コードを記憶する記憶手段と、記憶手段に記憶されるグループ識別コードを、他のデータ通信装置に配布する配布手段とを有し、他のデータ通信装置が、配布されたグループ識別コードを記憶することにより、当該データ通信装置と他のデータ通信装置とでデータ通信が可能となるようにしたことを特徴とするデータ通信装置である。
また、この発明は、データを他のデータ通信装置に無線で送信、及び／または他のデータ通信装置から無線で受信するデータ通信装置において、当該データ通信装置が属するグループを示すグループ識別コードを記憶する記憶手段と、他のデータ通信装置から配布されてきたグループ識別コードを受信する受信手段とを有し、受信したグループ識別コードを記憶手段に記憶することにより、当該データ通信装置と他のデータ通信装置とでデータ通信が可能となるようにしたことを特徴とするデータ通信装置である。
さらに、この発明は、データを無線で送信、及び／または無線で受信するデータ通信方法において、自機が属するグループを示すグループ識別コードを他機に転送し、転送されてきたグループ識別コードを他機が設定し、データ通信時、自機のグループ識別コードと同一のグループ識別コードを設定した他機との間でのみデータ通信を行なうことを特徴とするデータ通信方法である。


【手続補正３】
【補正対象書類名】明細書
【補正対象項目名】００１７
【補正方法】変更
【補正の内容】
【００１７】
無線通信ユニット２Ａ、２Ｂ、２Ｃには、このような無線によるデータ通信を可能とするために、送信するデータのパケット化及び受信したパケットの分解を行なうベースバンドデータ処理部と、送信するデータを変復して所定の周波数で送信すると共に、信号を受信してベースバンドデータを変調する送受信部とが設けられる。


【手続補正４】
【補正対象書類名】明細書
【補正対象項目名】００３１
【補正方法】変更
【補正の内容】
【００３１】
また、上述の例では、グループ毎に共通のグループ識別コードを配布する際に、無線通信ユニット２Ａ〜２Ｃ同士をケーブル５により接続しているが、無線通信ユニット２Ａ〜２Ｃ間で電波でグループ識別コードを送るようにしても良い。なお、無線通信ユニット２Ａ〜２Ｃ間で電波でグループ識別コードを送る際には、グループ識別コードが他のコンピュータネットワークの機器に影響を与えることが無いように、通常時よりも出力電力を落とすことが考えられる。更に、赤外線通信等の光通信によりグループ識別コードを配布するようにしても良い。